(57)【要約】【課題】ゴムが用いられる構造部材や構造部材に被覆されるシーリング材の視認性を確保しながら、構造部材の長期的な防食性能を実現することのできる封止構造及び封止工法を提供する。【解決手段】本発明を適用した封止構造１は、土木構造物又は建築構造物に用いられるものであり、構造部材７のゴム７１ａを被覆するようにウレタン樹脂２０を硬化させることで設けられるシーリング材２と、構造部材７及びシーリング材２を取り囲むようにシリコーン樹脂３０を硬化させることで設けられる透明性封止体３とを備える。シーリング材２及び透明性封止体３が７構造部材の変形に追従して変形できるものとなることを特徴とする。【選択図】図６
2019090241.tif 000002
【特許請求の範囲】
【請求項１】
土木構造物又は建築構造物に用いられる封止構造であって、
ゴムが用いられる構造部材の前記ゴムを被覆するようにウレタン樹脂を硬化させることで設けられるシーリング材と、
前記構造部材及び前記シーリング材を取り囲むようにシリコーン樹脂を硬化させることで設けられる透明性封止体とを備え、
前記シーリング材及び前記透明性封止体が前記構造部材の変形に追従して変形できるものとなること
を特徴とする封止構造。
【請求項２】
前記透明性封止体は、前記シーリング材に塗布された接着性を有する透明性プライマーを介して前記シーリング材に接着されること
を特徴とする請求項１記載の封止構造。
【請求項３】
土木構造物又は建築構造物に用いられる封止工法であって、
ゴムが用いられる構造部材の前記ゴムを被覆するようにウレタン樹脂を充填し、充填した前記ウレタン樹脂を硬化させることでシーリング材を設けるシーリング工程と、
前記構造部材及び前記シーリング材を取り囲むようにシリコーン樹脂を充填し、充填した前記シリコーン樹脂を硬化させることで透明性封止体を設ける封止工程とを備えること
を特徴とする封止工法。
【請求項４】
前記封止工程では、前記シーリング材に接着性を有する透明性プライマーを塗布した上で、前記構造部材及び前記シーリング材を取り囲むように前記シリコーン樹脂を充填すること
を特徴とする請求項３記載の封止工法。
【発明の詳細な説明】
【技術分野】
【０００１】
本発明は、土木構造物又は建築構造物に用いられる封止構造及び封止工法に関する。
【背景技術】
【０００２】
従来から、重防食塗装（Ｒｃ−Ｉ塗装系）による塗替え塗装に代替する既設鋼製支承の
防食対策工として用いられて、鋼製支承を特殊樹脂で封入して腐食因子を遮断するものとして、非特許文献１に開示される支承防食工法が提案されている。
【０００３】
非特許文献１に開示される支承防食工法は、特に、「塗れないものは包む」という発想から、鋼製支承を特殊樹脂で封入するものである。このとき、非特許文献１に開示される支承防食工法は、特殊樹脂による鋼製支承の長期防食が可能となるだけでなく、封入箇所の長期的な透明性を維持して、点検調査時における目視確認ができるとされている。
【先行技術文献】
【非特許文献】
【０００４】
【非特許文献１】支承防食工法  透ける沓  ＮＥＴＩＳ登録番号ＴＨ−１２００１１−Ａ  ＜http://www.netis.mlit.go.jp/NetisRev/Search/NtDetail1.asp?REG#NO=TH-120011&TabType=&nt=＞
【発明の概要】
【発明が解決しようとする課題】
【０００５】
ここで、非特許文献１に開示される支承防食工法は、鋼製支承の周囲に耐候性に優れた透明型枠が設置されるとともに、透明型枠の内部に特殊樹脂が充填されて、特殊樹脂及び透明型枠の透明性を利用することで、封入箇所の目視確認ができるとされている。そして、非特許文献１に開示される支承防食工法は、柔らかい特殊樹脂に鋼製支承が封入されるため、鋼製支承の移動、回転等の支承機能を阻害しないものとされている。
【０００６】
しかしながら、鋼製支承に適用される非特許文献１に開示される支承防食工法を、仮にゴム支承に適用し特殊樹脂としてシリコーン樹脂を適用した場合、シリコーン樹脂がゴムに接触することで、シリコーン樹脂の硬化不良やシリコーン樹脂の透明性が失われることとなる。このため、非特許文献１に開示される支承防食工法を、仮にゴム支承に適用した場合、シリコーン樹脂の硬化不良により支承機能を発揮できなくなるばかりか、シリコーン樹脂の透明性が失われることにより封入箇所の目視確認をすることができなくなることから、非特許文献１に開示される支承防食工法を、ゴム支承に適用することについては阻害要因があった。
【０００７】
そこで、本発明は、上述した問題点に鑑みて案出されたものであって、その目的とするところは、ゴムが用いられる構造部材や構造部材に被覆されるシーリング材の視認性を確保しながら、構造部材の長期的な防食性能を実現することのできる封止構造及び封止工法を提供することにある。
【課題を解決するための手段】
【０００８】
本発明者らは、上述した課題を解決するために、ゴムが用いられる構造部材のゴムを被覆するようにウレタン樹脂を硬化させることで設けられるシーリング材と、構造部材及びシーリング材を取り囲むようにシリコーン樹脂を硬化させることで設けられる透明性封止体とを備えた封止構造を発明した。本発明に係る封止構造は、シーリング材を備えることで、構造部材のゴムと透明性封止体とが互いに接触することがないため、透明性封止体の硬化不良や、透明性封止体の透明性が失われるのを防止することができ、その結果、構造部材やシーリング材の視認性を確保しながら、構造部材の長期的な防食性能を実現することができる。
【０００９】
第１発明に係る封止構造は、土木構造物又は建築構造物に用いられる封止構造であって、ゴムが用いられる構造部材の前記ゴムを被覆するようにウレタン樹脂を硬化させることで設けられるシーリング材と、前記構造部材及び前記シーリング材を取り囲むようにシリコーン樹脂を硬化させることで設けられる透明性封止体とを備え、前記シーリング材及び前記透明性封止体が前記構造部材の変形に追従して変形できるものとなることを特徴とする。
【００１０】
第２発明に係る封止構造は、第１発明において、前記透明性封止体は、前記シーリング材に塗布された接着性を有する透明性プライマーを介して前記シーリング材に接着されることを特徴とする。
【００１１】
第３発明に係る封止工法は、土木構造物又は建築構造物に用いられる封止工法であって、ゴムが用いられる構造部材の前記ゴムを被覆するようにウレタン樹脂を充填し、充填した前記ウレタン樹脂を硬化させることでシーリング材を設けるシーリング工程と、前記構造部材及び前記シーリング材を取り囲むようにシリコーン樹脂を充填し、充填した前記シリコーン樹脂を硬化させることで透明性封止体を設ける封止工程とを備えることを特徴とする。
【００１２】
第４発明に係る封止工法は、第３発明において、前記封止工程では、前記シーリング材に接着性を有する透明性プライマーを塗布した上で、前記構造部材及び前記シーリング材を取り囲むように前記シリコーン樹脂を充填することを特徴とする。
【発明の効果】
【００１３】
第１発明〜第４発明によれば、構造部材のゴムを被覆するようにウレタン樹脂を硬化させることで設けられるシーリング材と、構造部材及びシーリング材を取り囲むようにシリコーン樹脂を硬化させることで設けられる透明性封止体とを備えることにより、構造部材に被覆されるシーリング材の劣化状況や構造部材の雨水等による腐食状況等を長期的に目視確認できるものとして、透明性封止体で防食される構造部材やシーリング材の長期的な視認性を確保することが可能となる。
【００１４】
第１発明〜第４発明によれば、構造部材のゴムを被覆するようにシーリング材が設けられるため、構造部材のゴムと透明性封止体とが互いに接触することがないため、透明性封止体の硬化不良や、透明性封止体の透明性が失われるのを防止することができ、その結果、構造部材やシーリング材の視認性を確保しながら、構造部材の長期的な防食性能を実現することができる。
【００１５】
第１発明〜第４発明によれば、供用時における構造部材の変形に追従してシーリング材及び透明性封止体が変形できるものとなるため、供用時において構造部材が変形したとき、透明性封止体で構造部材及びシーリング材が取り囲まれた状態を長期的に維持して、長期的な防食効果を実現することが可能となる。
【００１６】
特に、第２発明、第４発明によれば、透明性封止体がウレタン樹脂の外面に塗布された接着性を有する透明性プライマーを介してシーリング材に接着されることにより、シーリング材及び透明性封止体が互いに強固に固定されるものとなり、供用時において構造部材が変形したとき、シーリング材及び透明性封止体が互いに同程度変形するものとなり、その結果、透明性封止体で構造部材及びシーリング材が取り囲まれた状態を長期的に維持して、長期的な防食効果を実現することが可能となる。
【図面の簡単な説明】
【００１７】
【図１】本発明を適用した封止構造が用いられる橋梁の支承を示す斜視図である。
【図２】本発明を適用した封止構造が用いらえる橋梁の支承を示す側面図である。
【図３】本発明を適用した封止構造を示す拡大正面図である。
【図４】（ａ）は、本発明を適用した封止構造で型枠が撤去される前の状態を示す正面図であり、（ｂ）は、型枠が撤去された後の状態を示す正面図である。
【図５】（ａ）は、本発明を適用した封止構造で型枠が撤去される前の状態を示す拡大正面図であり、（ｂ）は、型枠が撤去された後の状態を示す拡大正面図である。
【図６】（ａ）は、本発明を適用した封止構造で変形する前の支承を示す側面図であり、（ｂ）は、変形した後の支承に追従する透明性封止体を示す側面図である。
【図７】本発明を適用した封止工法のシーリング工程でウレタン樹脂を充填した状態を示す正面図である。
【図８】（ａ）は、本発明を適用した封止工法の封止工程でウレタン樹脂の外面に透明性プライマーを塗布した状態を示す正面図であり、（ｂ）は、型枠を組み立てた状態を示す正面図である。
【図９】本発明を適用した封止工法の封止工程でシリコーン樹脂の外面に透明性樹脂塗料を塗布する過程を示す拡大正面図である。
【図１０】本発明を適用した封止構造がサイドブロックが設けられる橋梁に用いられる形態を示す正面図である。
【図１１】本発明を適用した封止構造がサイドブロックが設けられる橋梁に用いられる他の形態を示す正面図である。
【発明を実施するための形態】
【００１８】
以下、本発明を適用した封止構造１及び封止工法を実施するための形態について、図面を参照しながら詳細に説明する。
【００１９】
本発明を適用した封止構造１は、土木構造物又は建築構造物に用いられるものであって、例えば、図１に示すように、橋梁８のゴム支承７１等を防食するものとして設けられる。
【００２０】
本発明を適用した封止構造１は、図２に示すように、土木構造物又は建築構造物における構造部材７を対象として、橋梁８のゴム支承７１等の構造部材７が雨水等により錆び、腐食することを防止するために、構造部材７のゴムを被覆するようにシーリング材２と、構造部材７及びシーリング材２を取り囲むように透明性封止体３とが設けられるものとなる。
【００２１】
本発明を適用した封止構造１は、主に、所定の弾性率を有するゴムと鋼鉄等の金属とが用いられるゴム支承７１等の構造部材７を防食の対象とする。ゴム支承７１は、橋桁７２の移動に伴って変形するものであり、図中矢印Ａ方向に変形するゴム７１ａと、ゴム７１ａの上下に配置される金属製の沓部７１ｂとを有する。なお、ゴム支承７１は、これに限らず、板状のゴムと板状の金属とが交互に積層されたものであってもよいし、凹凸が設けられた上下の板状の金属にゴムが介装されたものであってもよい。ゴム支承７１におけるゴム７１ａの材質は、天然ゴム、クロロプレンゴム、スチレンブタジエンゴム等が用いられる。
【００２２】
本発明を適用した封止構造１は、図３に示すように、橋梁８のゴム支承７１等の構造部材７のゴム７１ａを被覆するように設けられるシーリング材２と、構造部材７及びシーリング材２を取り囲むように設けられる透明性封止体３とを備える。本発明を適用した封止構造１は、ゴム支承７１を防食の対象とする場合には、Ｈ形鋼等の橋桁７２とコンクリート７０等の橋脚との間隙にゴム支承７１が設置されて、橋梁８の供用時に橋桁７２が移動することで、ゴム支承７１に変形が生じるものとなる。
【００２３】
シーリング材２は、構造部材７を被覆するウレタン樹脂２０を硬化させることで設けられる。シーリング材２は、所定の厚みとなるウレタン樹脂２０で構造部材７のゴム７１ａを被覆することで、構造部材７のゴム７１ａが透明性封止体３に接触することを防止する。なお、シーリング材２は、構造部材７の全体を被覆するものが例示されているが、これに限定されるものではない。例えば、シーリング材２は、少なくとも構造部材７のゴム７１ａを被覆するものであればよく、構造部材７の金属製の沓部７１ｂを被覆しないものであってもよい。このとき、シーリング材２は、構造部材７のゴム７１ａが透明性封止体３に接触することを防止することができるとともに、透明性封止体３の外側から構造部材７の沓部７１ｂ等の腐食状況等も目視確認できるものとなる。
【００２４】
ウレタン樹脂２０は、ウレタン結合を有する有機化合物であって物理的性状が樹脂状のものが用いられる。ここで、ウレタン樹脂２０は、硬化させた後に柔軟性を有するものが用いられて、ＪＩＳ  Ａ  ５７５８で規定される建築用シーリング材等が用いられる。
【００２５】
シーリング材２は、ウレタン樹脂２０の外面２１に一体化して、硬化させたウレタン樹脂２０の外面２１に接着性を有する透明性プライマー４が塗布されるものとなる。透明性プライマー４は、ウレタン樹脂系プライマー等の接着性を有するものが用いられる。そして、透明性プライマー４は、透明又は半透明の透明性を有するものが用いられて、透明性を有するウレタン樹脂２０の外面２１に塗布されるものとなる。
【００２６】
透明性封止体３は、構造部材７及びシーリング材２を取り囲むようにシリコーン樹脂３０を硬化させることで設けられる。透明性封止体３は、所定の厚みとなるシリコーン樹脂３０で構造部材７の周囲を取り囲むことで、構造部材７が雨水等の腐食環境にさらされることを防止する。
【００２７】
シリコーン樹脂３０は、ケイ素を含む有機化合物であって物理的性状が樹脂状のものが用いられる。シリコーン樹脂３０は、透明又は半透明の透明性を有するものが用いられて、構造部材７及びシーリング材２の周囲を取り囲んだ状態で、構造部材７に被覆されたシーリング材２の劣化状況や構造部材７の腐食状況等を目視確認できるものとなる。ここで、シリコーン樹脂３０は、硬化させた後の伸び率が２００％〜１５００％程度のものが用いられて、例えば、４００％以上の伸び率となるものが用いられる。
【００２８】
透明性封止体３は、図４（ａ）に示すように、構造部材７の周囲を取り囲むように組み立てられた型枠６の内部６０にシリコーン樹脂３０が充填されることで、シリコーン樹脂３０で構造部材７の周囲を取り囲んだものとなる。そして、透明性封止体３は、特に、図４（ｂ）に示すように、型枠６の内部６０に充填されたシリコーン樹脂３０を硬化させてから、構造部材７の周囲の型枠６が撤去された状態で設けられるものとなる。
【００２９】
透明性封止体３は、必要に応じて、硬化させたシリコーン樹脂３０の外面３１に透明性樹脂塗料５が塗布される。透明性封止体３は、図５（ａ）に示すように、構造部材７の周囲を取り囲んだ型枠６の内面６１に型枠剥離テープ６２及び塗装剥離テープ６３が貼付されて、塗装剥離テープ６３に透明性樹脂塗料５が塗布された状態で、型枠６の内部６０にシリコーン樹脂３０が充填されるものとなる。そして、透明性封止体３は、塗装剥離テープ６３に塗布された透明性樹脂塗料５がシリコーン樹脂３０の外面３１に一体化して、図５（ｂ）に示すように、硬化させたシリコーン樹脂３０の外面３１に透明性樹脂塗料５が塗布されるものとなる。
【００３０】
透明性樹脂塗料５は、例えば、サンシャインウェザーメーター試験による３０００時間後の光沢保持率が８０％以上の耐候性を有して、ＪＩＳ  Ｋ  ５６５８で規定される建築用耐候性上塗り塗料等が用いられる。透明性樹脂塗料５は、主に、伸縮性を有するフッ素樹脂塗料が用いられて、硬化させたシリコーン樹脂３０の外面３１が透明性樹脂塗料５に被覆された状態となる。そして、透明性樹脂塗料５は、透明又は半透明の透明性を有するものが用いられて、透明性を有するシリコーン樹脂３０の外面３１に塗布された状態で、構造部材７に被覆されたシーリング材２の劣化状況や構造部材７の腐食状況等を目視確認できるものとなる。
【００３１】
型枠６は、主に、型枠剥離テープ６２が貼付される内面６１が略平滑面状に形成された木質ボードの化粧合板が用いられる。そして、型枠６は、木質ボードの化粧合板等が用いられることで、現場の施工環境に応じて、化粧合板等を容易に切断等できるものとなり、型枠６の成形作業を容易に実施できるものとなる。
【００３２】
型枠剥離テープ６２は、ポリエチレン繊維等で織られた養生テープ等の片面テープが用いられて、型枠剥離テープ６２の粘着面が型枠６の内面６１に貼付される。塗装剥離テープ６３は、ポリプロピレン繊維等を材質とするＰＰテープ等の片面テープが用いられて、塗装剥離テープ６３の粘着面が型枠剥離テープ６２の非粘着面に貼付されることで、型枠剥離テープ６２とともに型枠６の内面６１に貼付されるものとなる。
【００３３】
透明性封止体３は、図６（ａ）に示すように、構造部材７の周囲から型枠６が撤去されて、シリコーン樹脂３０の外面３１が伸縮性を有する透明性樹脂塗料５のみに被覆された状態となる。そして、透明性封止体３は、図６（ｂ）に示すように、構造部材７が図中矢印Ａ方向に変形したとき、シリコーン樹脂３０が所定の伸び率を有するとともに、透明性樹脂塗料５が伸縮性を有することで、構造部材７の変形に追従してシリコーン樹脂３０が変形できるものとなる。また、シーリング材２は、ウレタン樹脂２０が柔軟性を有することで、構造部材７の変形に追従してウレタン樹脂２０が変形できるものとなる。
【００３４】
本発明を適用した封止工法は、土木構造物又は建築構造物における構造部材７を対象に、既設又は新設の構造部材７の防食対策工として用いられる。本発明を適用した封止工法は、図７〜図９に示すように、ゴム７１ａが用いられる構造部材７のゴム７１ａを被覆するようにウレタン樹脂２０を充填し、充填したウレタン樹脂２０を硬化させることでシーリング材２を設けるシーリング工程と、構造部材７及びシーリング材２を取り囲むようにシリコーン樹脂３０を充填し、充填したシリコーン樹脂３０を硬化させることで透明性封止体３を設ける封止工程とを備える。
【００３５】
図７に示すように、シーリング工程では、必要に応じて、最初に、橋桁７２、ゴム支承７１及びコンクリート７０等において、ウレタン樹脂２０及びシリコーン樹脂３０が接する部分に、４種ケレン等により下地処理をする。そして、シーリング工程では、構造部材７のゴム７１ａを被覆するようにウレタン樹脂２０を充填し、充填したウレタン樹脂２０を硬化させることでシーリング材２を設ける。
【００３６】
次に、封止工程では、図８（ａ）に示すように、硬化させたウレタン樹脂２０の外面２１に透明性プライマー４が刷毛等で塗布される。そして、封止工程では、図８（ｂ）に示すように、構造部材７の周囲を取り囲むように成形された型枠６を組み立て、型枠６の内部６０に構造部材７が配置される。
【００３７】
このとき、封止工程では、図９（ａ）に示すように、型枠６の内面６１に型枠剥離テープ６２及び塗装剥離テープ６３が貼付された状態で、型枠６が組み立てられたものとなる。そして、封止工程では、型枠６の内面６１の塗装剥離テープ６３に透明性樹脂塗料５が塗布されて、型枠６の内面６１の略全面に透明性樹脂塗料５が塗布された状態で、型枠６の内部６０に硬化前のシリコーン樹脂３０を充填し、型枠６の内部６０に充填したシリコーン樹脂３０を硬化させる。このとき、封止工程では、必要に応じて、硬化させたシリコーン樹脂３０の上面３２に透明性樹脂塗料５を塗布してもよい。
【００３８】
そして、封止工程では、図９（ｂ）に示すように、型枠６の内面６１に型枠剥離テープ６２を貼付させたままの状態で、型枠剥離テープ６２を塗装剥離テープ６３から剥離しながら型枠６を撤去する。
【００３９】
このとき、封止工程では、型枠６の内面６１に透明性樹脂塗料５が塗布された状態で、型枠６の内部６０に充填されたシリコーン樹脂３０を硬化させることで、塗装剥離テープ６３に塗布された透明性樹脂塗料５が硬化させたシリコーン樹脂３０の外面３１に一体化する。そして、封止工程では、型枠剥離テープ６２を塗装剥離テープ６３から剥離しながら型枠６を撤去することで、硬化させたシリコーン樹脂３０の外面３１に透明性樹脂塗料５が塗布された状態で、透明性樹脂塗料５が塗装剥離テープ６３で被覆された透明性封止体３が設けられる。
【００４０】
そして、封止工程では、図９（ｃ）に示すように、シリコーン樹脂３０の外面３１に塗布された状態となった透明性樹脂塗料５から塗装剥離テープ６３を剥離して、シリコーン樹脂３０の外面３１に透明性樹脂塗料５のみが残されるものとする。そして、封止工程では、シリコーン樹脂３０の外面３１に透明性樹脂塗料５のみが残されて、ゴム支承７１等の構造部材７を取り囲むように透明性封止体３が設けられるものとなる。
【００４１】
本発明を適用した封止構造１は、図３に示すように、ゴム７１ａが用いられる構造部材７のゴム７１ａを被覆するようにウレタン樹脂２０を硬化させることで設けられるシーリング材２と、構造部材７及びシーリング材２を取り囲むようにシリコーン樹脂３０を硬化させることで設けられる透明性封止体３とを備える。これにより、本発明を適用した封止構造１は、ゴム支承７１等の構造部材７の雨水等による腐食状況や構造部材７に被覆されたシーリング材２の劣化状況等を長期的に目視確認できるものとして、透明性封止体３で防食される構造部材７やシーリング材２の長期的な視認性を確保することが可能となる。
【００４２】
また、本発明を適用した封止構造１は、構造部材７のゴム７１ａを被覆するようにウレタン樹脂２０を硬化させることで設けられるシーリング材２と、構造部材７及びシーリング材２を取り囲むようにシリコーン樹脂３０を硬化させることで設けられる透明性封止体３とを備える。これにより、本発明を適用した封止構造１は、構造部材７のゴム７１ａと透明性封止体３とが互いに接触することがないため、透明性封止体３の硬化不良や、透明性封止体３の透明性が失われるのを防止することができ、その結果、構造部材７やシーリング材２の視認性を確保しながら、構造部材７の長期的な防食性能を実現することができる。
【００４３】
また、本発明を適用した封止構造１は、図６に示すように、シーリング材２が柔軟性を有して透明性封止体３が所定の伸び率を有することで、供用時における構造部材７の変形に追従してシーリング材２及び透明性封止体３が変形できるものとなる。これにより、本発明を適用した封止構造１は、供用時において構造部材７が変形したとき、透明性封止体３で構造部材７及びシーリング材２が取り囲まれた状態を長期的に維持して、構造部材７の長期的な防食効果を実現することが可能となる。
【００４４】
本発明を適用した封止構造１は、透明性封止体３がウレタン樹脂２０の外面２１に塗布された接着性を有する透明性プライマー４を介してシーリング材２に接着される。これにより、本発明を適用した封止構造１は、シーリング材２及び透明性封止体３が互いに強固に固定されるものとなり、供用時において構造部材７が変形したとき、シーリング材２及び透明性封止体３が互いに同程度変形するものとなり、その結果、透明性封止体３で構造部材７及びシーリング材２が取り囲まれた状態を長期的に維持して、長期的な防食効果を実現することが可能となる。
【００４５】
本発明を適用した封止構造１は、図４に示すように、構造部材７の周囲の型枠６が撤去された状態で、硬化させたシリコーン樹脂３０により透明性封止体３が設けられる。これにより、本発明を適用した封止構造１は、構造部材７を取り囲んだ透明性封止体３の変形が型枠６より阻害されないものとして、透明性封止体３に柔軟な変形をさせることで、長期的かつ確実な防食効果を実現することが可能となる。
【００４６】
そして、本発明を適用した封止構造１は、構造部材７の周囲の型枠６が撤去された状態であっても、透明性封止体３に透明性樹脂塗料５が塗布されることで、透明性封止体３となるシリコーン樹脂３０の長期的な形状保持が可能となる。また、本発明を適用した封止構造１は、構造部材７の周囲の型枠６が撤去されることで、精度の高い型枠６の成形作業が要求されないことから、ゴム支承７１が設けられた橋梁８の狭隘部等における型枠６の成形作業を容易にして施工コストを抑制することが可能となる。
【００４７】
本発明を適用した封止構造１は、図５に示すように、粘着性の高いシリコーン樹脂３０の外面３１が透明性樹脂塗料５に被覆された状態となる。これにより、本発明を適用した封止構造１は、シリコーン樹脂３０の粘着性の高い外面３１に、埃、ゴミ及び虫等が付着することを防止して、構造部材７やシーリング材２の長期的な視認性を確保することが可能となる。
【００４８】
本発明を適用した封止工法は、ゴム７１ａが用いられる構造部材７のゴム７１ａを被覆するようにウレタン樹脂２０を充填し、充填したウレタン樹脂２０を硬化させることでシーリング材２を設けるシーリング工程と、構造部材７及びシーリング材２を取り囲むようにシリコーン樹脂３０を充填し、充填したシリコーン樹脂３０を硬化させることで透明性封止体３を設ける封止工程とを備える。これにより、本発明を適用した封止工法は、構造部材７のゴムと透明性封止体３とが互いに接触することがないため、透明性封止体３の硬化不良や、透明性封止体３の透明性が失われるのを防止することができ、その結果、構造部材７やシーリング材２の長期的な視認性を確保しながら、構造部材７の長期的かつ確実な防食性能を実現することが可能となる。
【００４９】
本発明を適用した封止工法は、シーリング工程において、ウレタン樹脂２０を充填し、充填したウレタン樹脂２０を硬化させてシーリング材２を設けるため、ゴム支承７１が設けられた橋梁８の狭隘部等においても、構造部材７のゴム７１ａを被覆するようにシーリング材２を設けることができ、構造部材７のゴム７１ａを隙間なくシーリング材２で被覆することが可能となる。
【００５０】
また、本発明を適用した封止工法は、図９（ｂ）に示すように、型枠６の内面６１に型枠剥離テープ６２を貼付させたままの状態で、型枠剥離テープ６２を塗装剥離テープ６３から剥離しながら型枠６を撤去するものとなる。これにより、本発明を適用した封止工法は、型枠剥離テープ６２と塗装剥離テープ６３との接着が必要以上に強固でなく、型枠剥離テープ６２を塗装剥離テープ６３から容易に剥離できるため、型枠６の撤去作業を容易に実施することが可能となる。
【００５１】
図１０は、本発明を適用した封止構造１がサイドブロック７８が設けられる橋梁８に用いられる形態を示す正面図である。図１０に示す形態において、橋梁８は、ゴム支承７１等の構造部材７を挟んで両側に金属製のサイドブロック７８が設けられ、ゴム支承７１等の構造部材７とサイドブロック７８との間には隙間部７９が形成される。このとき、本発明を適用した封止構造１は、ウレタン樹脂２０が隙間部７９に充填され、構造部材７のゴム７１ａとサイドブロック７８とを被覆するようにシーリング材２が設けられる。
【００５２】
図１０に示す形態において、本発明を適用した封止構造１は、ゴム支承７１が設けられた橋梁８において、構造部材７のゴム７１ａ及びサイドブロック７８を被覆するようにシーリング材２を設けることができ、構造部材７のゴム７１ａを隙間なくシーリング材２で被覆することが可能となる。また、本発明を適用した封止構造１は、橋梁８の狭隘部となる隙間部７９にウレタン樹脂２０を充填すればよいため、施工性を向上させることが可能となる。さらに、本発明を適用した封止構造１は、ウレタン樹脂２０の外面２１が、隙間部７９よりも外側に配置されるため、透明性プライマー４をウレタン樹脂２０の外面２１に容易に刷毛等で塗布することができ、その結果、施工性を向上させることが可能となる。
【００５３】
また、図１１は、本発明を適用した封止構造１がサイドブロック７８が設けられる橋梁８に用いられる他の形態を示す正面図である。図１１に示す形態において、橋梁８は、ゴム支承７１等の構造部材７を挟んで両側に金属製のサイドブロック７８が設けられ、ゴム支承７１等の構造部材７とサイドブロック７８との間には隙間部７９が形成される。このとき、本発明を適用した封止構造１は、ウレタン樹脂２０が隙間部７９に充填され、構造部材７のゴム７１ａを被覆するようにシーリング材２が設けられる。
【００５４】
図１１に示す形態において、本発明を適用した封止構造１は、ゴム支承７１が設けられた橋梁８において、構造部材７のゴム７１ａを被覆するようにシーリング材２を設けることができ、構造部材７のゴム７１ａを隙間なくシーリング材２で被覆することが可能となる。また、本発明を適用した封止構造１は、橋梁８の狭隘部となる隙間部７９にウレタン樹脂２０を充填すればよいため、施工性を向上させることが可能となる。さらに、本発明を適用した封止構造１は、ウレタン樹脂２０の外面２１が、隙間部７９よりも外側に配置されるため、透明性プライマー４をウレタン樹脂２０の外面２１に容易に刷毛等で塗布することができ、その結果、施工性を向上させることが可能となる。
【００５５】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならない。
【符号の説明】
【００５６】
１                  ：封止構造
２                  ：シーリング材
２０                ：ウレタン樹脂
２１                ：外面
３                  ：透明性封止体
３０                ：シリコーン樹脂
３１                ：外面
３２                ：上面
４                  ：透明性プライマー
５                  ：透明性樹脂塗料
６                  ：型枠
６０                ：内部
６１                ：内面
６２                ：型枠剥離テープ
６３                ：塗装剥離テープ
７                  ：構造部材
７１                ：ゴム支承
７１ａ              ：ゴム
７１ｂ              ：沓部
７２                ：橋桁
７８                ：サイドブロック
７９                ：隙間部
８                  ：橋梁
【図１】
2019090241.tif 000003
【図２】
2019090241.tif 000004
【図３】
2019090241.tif 000005
【図４】
2019090241.tif 000006
【図５】
2019090241.tif 000007
【図６】
2019090241.tif 000008
【図７】
2019090241.tif 000009
【図８】
2019090241.tif 000010
【図９】
2019090241.tif 000011
【図１０】
2019090241.tif 000012
【図１１】
2019090241.tif 000013